(57)【要約】      （修正有）【課題】眼鏡を着用中でも無着用中でもゴーグルの使い心地を良好にする作業者防護用ゴーグルを提供する。【解決手段】フロント２のシールドフィルムは横棒部材１に取り付け、横棒部材の左右端にテンプル３を取り付け、横棒部材の下側にノーズパッド４を着脱可能に取り付ける。横棒部材には取付け部１６を設け、取付け部に一対の凹部１７を左右に向い合せに設ける。ノーズパッドは上部を着脱部４２にし、着脱部は、左右方向幅を圧縮可能、復元可能にし、左右の側面に凸部４３を設ける。ノーズパッドは、取付け時に、着脱部を指で摘んで左右方向幅を圧縮し、その着脱部を取付け部の一対の凹部の間に配置し、指による圧縮力を弱めて左右方向幅を復元し、左右の凸部を取付け部の左右の凹部に嵌め込む。ノーズパッドは、取外し時に、着脱部を指で摘んで左右方向幅を圧縮し、左右の凸部を取付け部の左右の凹部から抜き出し、その着脱部を取付け部の左右の凹部の間から取り出す。【選択図】図７
0003196052.tif 000002
【実用新案登録請求の範囲】
【請求項１】
作業者の目を防護するゴーグルにおいて、
着用者の顔面を覆うフロントのシールドフィルムは、横棒部材に取り付け、横棒部材の左右の端にテンプル又はバンドを取り付け、横棒部材の下側に、着用者の鼻に当たるノーズパッドを着脱可能に取り付けていることを特徴とする作業者防護用ゴーグル。
【請求項２】
横棒部材は、中央部の下側に取付け部を設け、取付け部に一対の凹部又は凸部を左右に向い合せにして設け、
ノーズパッドは、下部をパッド部に、上部を着脱部にし、
パッド部は、着用者の鼻に当たる形状にし、
着脱部は、左右方向幅を圧縮可能、復元可能にし、左右の側面にそれぞれ凸部又は凹部を設け、
ノーズパッドは、取り付けるときには、着脱部を指で摘んで圧縮して左右方向幅を減少し、その着脱部を取付け部の一対の凹部又は凸部の間に配置し、指による圧縮力を弱めて左右方向幅を復元し、左右の凸部又は凹部を取付け部の左右の凹部又は凸部に嵌め込む構成にし、
ノーズパッドは、取り外すときには、着脱部を指で摘んで圧縮して左右方向幅を減少し、左右の凸部又は凹部を取付け部の左右の凹部又は凸部から抜き出し、その着脱部を取付け部の左右の凹部又は凸部の間から取り出す構成にしていることを特徴とする請求項１に記載の作業者防護用ゴーグル。
【請求項３】
横棒部材には、防護壁を後方に突出して設け、
防護壁は、突出端が着用者の顔面に当たる形状にしていることを特徴とする請求項１又は２に記載の作業者防護用ゴーグル。
【請求項４】
テンプルには、保管庫内のフックに掛ける吊り下げ用の孔を設けていることを特徴とする請求項１、２又は３に記載の作業者防護用ゴーグル。
【請求項５】
横棒部材の左右の端と左右のテンプルは、それぞれ、回転可能に連結し、左右のテンプルをそれぞれ内側に折り畳み可能にしていることを特徴とする請求項１〜４のいずれかに記載の作業者防護用ゴーグル。
【考案の詳細な説明】
【技術分野】
【０００１】
本考案は、医療従事者のような作業者の目を防護するゴーグルに関する。
【背景技術】
【０００２】
医療従事者のような作業者は、飛沫や粉塵から目を防護するためゴーグルを着用する。
作業者防護用ゴーグルは、左右のテンプルの前端同士を横棒部材で連結している。横棒部材は、前面にフロントのシールドフィルムを着脱可能に取り付けている。横棒部材前面の突起部にフロントのシールドフィルムの孔部を取外し可能に嵌め込んでいる。フロントのシールドフィルムは、着用者の顔面を広い範囲で覆う大型にしている。左右のテンプルと横棒部材は、合成樹脂で一体に成形している。シールドフィルムは、光学フィルムにしている。
作業者防護用ゴーグルは、使い捨てにする。又は、フロントのシールドフィルムが汚れたり壊れたりしたときに、そのシールドフィルムを取り替える。
【先行技術文献】
【特許文献】
【０００３】
【特許文献１】特開２００７−８９７４８号公報
【特許文献２】特開２０００−１３９９９８号公報
【特許文献３】実開平５−７０５２７
【考案の概要】
【考案が解決しようとする課題】
【０００４】
［課  題］
上記のような作業者防護用ゴーグルは
１）ノーズパッドがなく、視力矯正眼鏡を着用している作業者でも、着用していない作業者でも着用することができる。視力矯正眼鏡を着用中の作業者が着用するときには、大型のフロント、シールドフィルムが視力矯正眼鏡のフロントに覆い被さる。眼鏡無着用中の作業者が着用するときには、ノーズパッドがない分、大型のフロントの保持が十分ではない。使い心地が良好ではない。眼鏡無着用中の作業者にも、使い心地を良くしたい。
２）フロントを付ける横棒部材と着用者の顔面との間に隙間ができる。その隙間から飛沫や粉塵が侵入する恐れがある。飛沫や粉塵の侵入を防ぎたい。
３）作業場に放置すると、汚されることがある。衛生的ではない。衛生的に保管したい。
４）フロントのシールドフィルムが大型である上、テンプルを折り畳むことができない。不使用時に嵩張る。不使用時の嵩を減らしたい。
【０００５】
［着  想］
作業者防護用ゴーグルにおいて
１）フロントを付ける横棒部材には、ノーズパッドを着脱可能に取り付けることにした。眼鏡の着用時に着用するときには、ノーズパッドを取り外す。眼鏡無着用時に着用するときには、ノーズパッドを取り付ける。ノーズパッドでフロントが保持されて安定する。使い心地が良好になる。
２）フロントを付ける横棒部材には、着用者の顔面に当たる防護壁を設けることにした。防護壁は、着用者の顔面との間の隙間を塞ぎ、飛沫や粉塵の侵入を防ぐ。
３）テンプルには、保管庫内のフックに掛ける孔を設けることにした。作業者防護用ゴーグルは、保管時に保管庫内に吊り下げる。保管庫内で衛生的に保管される。
４）テンプルは、視力矯正眼鏡と同様に折り畳み可能にすることにした。作業者防護用ゴーグルは、不使用時に嵩張らない。
【０００６】
具体的には、次のように構成する。
１．フロントを付ける横棒部材は、中央部の下側にノーズパッドの上端部を着脱可能に取り付ける。ノーズパッドは、下部をパッド部に、上部を着脱部にする。パッド部は、着用者の鼻に当たる形状にする。着脱部は、左右方向幅を圧縮可能、復元可能にし、左右の側面にそれぞれ凸部（又は凹部）を設ける。横棒部材は、中央部の下側に取付け部を設ける。取付け部には、一対の凹部（又は凸部）を左右に向い合せにして設ける。
ノーズパッドは、取り付けるときには、着脱部を左右方向から指で摘んで圧縮し、左右方向幅を減少する。その着脱部は、横棒部材の取付け部の一対の凹部（又は凸部）の間に配置し、指による圧縮力を弱め、左右方向幅を増加させて復元する。すると、左右の凸部（又は凹部）が取付け部の左右の凹部（又は凸部）に嵌り込む。着脱部が取付け部に取り付けられる。
このノーズパッドは、取り外すときには、着脱部を左右方向から指で摘んで圧縮し、左右方向幅を減少する。すると、左右の凸部（又は凹部）が横棒部材の取付け部の左右の凹部（又は凸部）から抜け出る。その着脱部は、取付け部の左右の凹部（又は凸部）の間から取り出す。着脱部が取付け部から取り外される。
２．横棒部材には、防護壁を後方に突出して設ける。防護壁は、突出長さを変化させて、突出端が着用者の顔面に当たる形状にする。
３．両側又は片側のテンプルには、保管庫内のフックに掛ける吊り下げ用の孔を設ける。
４．横棒部材の左右の端と左右のテンプルの前端は、それぞれ、回転可能に連結する。左右のテンプルは、それぞれ、内側に折り畳み可能にする。
【課題を解決するための手段】
【０００７】
１．作業者の目を防護するゴーグルにおいて、
着用者の顔面を覆うフロントのシールドフィルムは、横棒部材に取り付け、横棒部材の左右の端にテンプル又はバンドを取り付け、横棒部材の下側に、着用者の鼻に当たるノーズパッドを着脱可能に取り付けていることを特徴とする作業者防護用ゴーグル。
２．上記１の作業者防護用ゴーグルにおいて、
横棒部材は、中央部の下側に取付け部を設け、取付け部に一対の凹部又は凸部を左右に向い合せにして設け、
ノーズパッドは、下部をパッド部に、上部を着脱部にし、
パッド部は、着用者の鼻に当たる形状にし、
着脱部は、左右方向幅を圧縮可能、復元可能にし、左右の側面にそれぞれ凸部又は凹部を設け、
ノーズパッドは、取り付けるときには、着脱部を指で摘んで圧縮して左右方向幅を減少し、その着脱部を取付け部の一対の凹部又は凸部の間に配置し、指による圧縮力を弱めて左右方向幅を復元し、左右の凸部又は凹部を取付け部の左右の凹部又は凸部に嵌め込む構成にし、
ノーズパッドは、取り外すときには、着脱部を指で摘んで圧縮して左右方向幅を減少し、左右の凸部又は凹部を取付け部の左右の凹部又は凸部から抜き出し、その着脱部を取付け部の左右の凹部又は凸部の間から取り出す構成にしていることを特徴とする。
３．上記１又は２の作業者防護用ゴーグルにおいて、
横棒部材には、防護壁を後方に突出して設け、
防護壁は、突出端が着用者の顔面に当たる形状にしていることを特徴とする。
４．上記１、２又は３の作業者防護用ゴーグルにおいて、
テンプルには、保管庫内のフックに掛ける吊り下げ用の孔を設けていることを特徴とする。
５．上記１〜４のいずれかの作業者防護用ゴーグルにおいて、
横棒部材の左右の端と左右のテンプルは、それぞれ、回転可能に連結し、左右のテンプルをそれぞれ内側に折り畳み可能にしていることを特徴とする。
【考案の効果】
【０００８】
作業者防護用ゴーグルは、眼鏡の着用時に着用するときには、ノーズパッドを取り外す。眼鏡無着用時に着用するときには、ノーズパッドを取り付ける。ノーズパッドでフロントが保持されて安定する。眼鏡を着用中でも無着用中でも、使い心地が良好になる。
【図面の簡単な説明】
【０００９】
【図１】本考案の実施形態における作業者防護用ゴーグルの平面図。
【図２】同作業者防護用ゴーグルの正面図。
【図３】同作業者防護用ゴーグルの側面図。
【図４】図２のＡ−Ａ線断面図。
【図５】同作業者防護用ゴーグルの分離状態の平面図。
【図６】同分離状態の正面図。
【図７】同作業者防護用ゴーグルのノーズパッド分離状態の正面図。
【図８】図７のＢ−Ｂ線断面図。
【考案を実施するための形態】
【００１０】
実施形態の作業者防護用ゴーグルは、ノーズパッド４の取付け状態を図１〜図４に示す。横棒部材１からノーズパッド４、フロント２とテンプル３を分離した状態を図５、図６に示す。ノーズパッドの取外し状態を図７、図８に示す。
【００１１】
作業者防護用ゴーグルは、横棒部材１の前面にフロント２の上端部を着脱可能に取り付けている。フロント２は、シールドフィルムにし、着用者の顔面を両方の目やこめかみを含む広い範囲で覆う大型の二眼形状にしている。横棒部材１の左右の端には、それぞれ、テンプル３を内側に折り畳み可能に取り付けている。横棒部材１の中央部の下側には、ノーズパッド４を着脱可能に取り付けている。
【００１２】
横棒部材１は、合成樹脂成形品にし、横棒の左右の端部をそれぞれ後方に湾曲したような平面形状にしている。換言すると、左右方向部１１の左右の端にそれぞれ後方突出部１２を設けている。また、横棒部材１は、断面形状を逆Ｌ字形状にしている。即ち、後面ないし内面の上部に防護壁１３を後方ないし内方に突出して設けている。防護壁１３は、突出長さを変化させて、突出端が着用者の顔面に当たる形状にしている。
【００１３】
また、横棒部材１は、左右方向部１１の中央部の前面ないし外面と左右の後方突出部１２の外面に、それぞれ、突起部１４を設けている。フロント２のシールドフィルムは、上端部の中央部と左右の端部に、それぞれ、孔部２１を設けている。横棒部材の各突起部１４には、それぞれ、フロントの孔部２１を取外し可能に嵌め込んでいる。
【００１４】
フロント２のシールドフィルムは、湾曲可能な透明な光学フィルムにし、防曇加工と反射防止加工を施している。防曇加工によって、口から出た息が接しても曇り難い。反射防止加工によって、可視光線の反射率が低く、裸眼と同様に見える。
【００１５】
横棒部材１は、左右の後方突出部１２の防護壁１３に、それぞれ、軸部１５を下向きに突出して設けている。左右のテンプル３は、それぞれ、弾性のある合成樹脂成形品にし、前端部に孔部３１を上下方向に貫通して設けている。横棒部材１の左右の軸部１５には、それぞれ、テンプル３の孔部３１を嵌め込んで回転可能に連結している。
左右のテンプル３は、それぞれ、後端部に吊り下げ用の孔３２を左右方向に貫通して設けている。
【００１６】
また、横棒部材１は、左右方向部１１の中央部の下側に取付け部１６を設けている。取付け部１６は、突出部を左右に設け、左右の突出部の内面にそれぞれ凹部１７を形成している。即ち、一対の凹部１７を左右に向い合せにして形成している。ノーズパッド４は、弾性のある合成樹脂成形品にし、下部をパッド部４１に、上部を着脱部４２にしている。パッド部４１は、下開きの二股状にし、着用者の鼻に当たる形状にしている。着脱部４２は、上開きの二股状にし、左右方向の幅を圧縮可能、復元可能にし、左右の側面にそれぞれ凸部４３を設けている。
【００１７】
ノーズパッド４は、取り付けるときには、弾性のある着脱部４２を左右方向から指で摘んで圧縮し、左右方向幅を減少する。その着脱部４２は、横棒部材１の取付け部１６の一対の凹部１７の間に配置し、指による圧縮力を弱め、左右方向幅を増加させて復元する。すると、左右の凸部４３が取付け部１６の一対の凹部１７に嵌り込む。着脱部４２が取付け部１６に取り付けられる。
【００１８】
このノーズパッド４は、取り外すときには、着脱部４２を左右方向から指で摘んで圧縮し、左右方向幅を減少する。すると、左右の凸部４３が取付け部１６の一対の凹部１７から抜け出る。その着脱部４２は、一対の凹部１７の間から取り出す。着脱部４２が取付け部１６から取り外される。
【００１９】
作業者防護用ゴーグルは、視力矯正眼鏡を着用中の作業者が着用するときには、ノーズパッド４を取り外す。防護壁１３が着用者の顔面に当たり、大型のフロント２、シールドフィルムが視力矯正眼鏡のフロントに覆い被さる。
【００２０】
眼鏡無着用中の作業者が着用するときには、ノーズパッド４を取り付ける。防護壁１３が着用者の顔面に当たるとともに、ノーズパッドのパッド部４１が着用者の鼻に当たる。大型のフロント２は、保持されて安定する。使い心地が良好になる。
【００２１】
作業者防護用ゴーグルは、不使用時には、左右のテンプル３をそれぞれ内側に折り畳む。嵩張らない。保管時には、吊り下げ用の孔３２を保管庫内のフックに掛け、保管庫内に吊り下げる。保管庫内で衛生的に保管する。
フロント２のシールドフィルムは、汚れたり壊れたりしたときには、そのシールドフィルムを新品に取り替える。
【００２２】
［変形例］
本考案は、上記の実施形態に限定されない。次のような変形が例示される。
１．上記の実施形態において、横棒部材１にノーズパッド４を取り付けるに当たり、横棒部材の取付け部１６に凹部１７を、ノーズパッドの着脱部４２に凸部４３を設けているが、取付け部１６に凸部を、着脱部４２に凹部を設ける。
２．上記の実施形態において、横棒部材１にノーズパッド４を着脱可能に取り付ける機構は、凹部１７と凸部４３の嵌め込み機構にしているが、その他の機構にする。
３．上記の実施形態において、フロント２は、着用者の顔面の一部を覆う二眼形状にしているが、着用者の顔面の全部を覆うシールドマスク形状にする。
４．上記の実施形態において、横棒部材１の左右の端には、着用者の頭部側面に接するテンプル３を付けているが、着用者の後頭部を巻いて横断するバンドを付ける。
【符号の説明】
【００２３】
１  横棒部材
２  フロント、シールドフィルム
３  テンプル
４  ノーズパッド
１１  横棒部材の左右方向部
１２  横棒部材の後方突出部
１３  横棒部材の防護壁
１４  横棒部材の突起部
１５  横棒部材の軸部
１６  横棒部材の取付け部
１７  取付け部の凹部
２１  フロントの孔部
３１  テンプルの孔部
３２  テンプルの吊り下げ用の孔
４１  ノーズパッドのパッド部
４２  ノーズパッドの着脱部
４３  着脱部の凸部
【図１】
0003196052.tif 000003
【図２】
0003196052.tif 000004
【図３】
0003196052.tif 000005
【図４】
0003196052.tif 000006
【図５】
0003196052.tif 000007
【図６】
0003196052.tif 000008
【図７】
0003196052.tif 000009
【図８】
0003196052.tif 000010